(57)【要約】【課題】装置本体への電源投入時に、装置本体に接続される外部入力装置に対するユーザ操作が煩雑になるのを抑制することが可能な映像表示装置を提供する。【解決手段】この液晶テレビジョン１００（映像表示装置）は、映像信号を入力するための複数の外部入力装置（５１〜５５）が接続される外部機器入力部３２と、外部機器入力部３２からの映像信号に基づいて映像を表示する表示画面部１１と、テレビジョン本体１０の電源が投入される際、外部機器入力部３２に接続された複数の外部入力装置（５１〜５５）のうち、ユーザによって予め指定された外部入力装置（ＤＶＤプレーヤ５１およびセットトップボックス５２）の電源をオン状態に切り換える制御を行うように構成された制御部３６とを備える。【選択図】図８
2010245908.tif 000002
【特許請求の範囲】
【請求項１】
映像信号を入力するための複数の外部入力装置が接続される外部機器入力部と、
前記外部機器入力部からの映像信号に基づいて映像を表示する表示部と、
映像表示装置本体の電源が投入される際、前記外部機器入力部に接続された複数の前記外部入力装置のうち、ユーザによって予め指定された外部入力装置の電源をオン状態に切り換える制御を行うように構成された制御部とを備える、映像表示装置。
【請求項２】
前記映像表示装置本体と、前記映像表示装置本体の前記外部機器入力部に接続された複数の前記外部入力装置との接続関係が記憶されたテーブルをさらに備え、
前記制御部は、前記テーブルに記憶されている前記映像表示装置本体に電源が投入される前の前記映像表示装置本体と前記ユーザによって予め指定された外部入力装置との接続関係と、前記映像表示装置本体に電源が投入された後の前記映像表示装置本体と前記ユーザによって予め指定された外部入力装置との接続関係とが一致する場合に、前記外部機器入力部に接続されている複数の前記外部入力装置のうちの前記ユーザによって予め指定された外部入力装置の電源をオン状態に切り換える制御を行うように構成されている、請求項１に記載の映像表示装置。
【請求項３】
前記テーブルは、前記ユーザによって予め指定されるとともに、前記映像表示装置本体の電源が投入される際に前記制御部によって電源がオン状態に切り換えられる外部入力装置の各々が、前記映像表示装置本体の前記外部機器入力部に接続された複数の前記外部入力装置の各々と対応付けられて記憶されるように構成されている、請求項２に記載の映像表示装置。
【請求項４】
前記制御部は、前記テーブルに記憶されている前記映像表示装置本体に電源が投入される前の前記映像表示装置本体と前記ユーザによって予め指定された外部入力装置との接続関係と、前記映像表示装置本体に電源が投入された後の前記映像表示装置本体と前記ユーザによって予め指定された外部入力装置との接続関係とが一致しない場合、前記映像表示装置本体の電源が投入される際に前記ユーザによって予め指定された外部入力装置の電源をオン状態に切り換える制御を行わないように構成されている、請求項２または３に記載の映像表示装置。
【請求項５】
前記制御部は、前記テーブルに記憶されている前記映像表示装置本体に電源が投入される前の前記映像表示装置本体と前記ユーザによって予め指定された外部入力装置との接続関係と、前記映像表示装置本体に電源が投入された後の前記映像表示装置本体と前記ユーザによって予め指定された外部入力装置との接続関係とが一致することに加えて、前記テーブルに記憶されている前記映像表示装置本体に電源が投入される前の前記映像表示装置本体と前記ユーザによって予め指定されていない外部入力装置との接続関係と、前記映像表示装置本体に電源が投入された後の前記映像表示装置本体と前記ユーザによって予め指定されていない外部入力装置との接続関係とが一致する場合に、前記外部機器入力部に接続されている複数の前記外部入力装置のうちの前記ユーザによって指定された外部入力装置の電源をオン状態に切り換える制御を行うように構成されている、請求項２〜４のいずれか１項に記載の映像表示装置。
【請求項６】
前記映像表示装置本体は、前記制御部が、ＨＤＭＩ規格に基づいた制御信号を使用して前記外部機器入力部に接続されている複数の前記外部入力装置の各々に対して制御するように構成されており、
前記制御部は、前記映像表示装置本体と前記映像表示装置本体の前記外部機器入力部に接続された複数の前記外部入力装置との接続関係を把握するために複数の前記外部入力装置の各々に付与されたアドレスを参照することにより、前記テーブルに記憶されている前記映像表示装置本体に電源が投入される前の前記映像表示装置本体と複数の前記外部入力装置との接続関係と、前記映像表示装置本体に電源が投入された後の前記映像表示装置本体と複数の前記外部入力装置との接続関係とを比較するように構成されている、請求項２〜５のいずれか１項に記載の映像表示装置。
【請求項７】
前記ユーザにより、前記外部機器入力部に接続されている複数の前記外部入力装置のうち、前記映像表示装置本体の電源が投入される際に電源をオン状態に切り換える外部入力装置の指定を予め行うことが可能に構成された設定手段をさらに備え、
前記制御部は、前記設定手段により設定された内容に基づいて、前記映像表示装置本体の電源が投入される際、前記外部機器入力部に接続されている複数の前記外部入力装置のうちの前記ユーザによって予め指定された外部入力装置の電源をオン状態に切り換える制御を行うように構成されている、請求項１〜６のいずれか１項に記載の映像表示装置。
【発明の詳細な説明】
【技術分野】
【０００１】
この発明は、映像表示装置に関し、特に、外部入力装置が接続可能な外部機器入力部を備えた映像表示装置に関する。
【背景技術】
【０００２】
従来、外部入力装置が接続可能な外部機器入力部を備えた映像表示装置が知られている（たとえば、特許文献１〜４参照）。
【０００３】
上記特許文献１には、ＨＤＭＩ規格に対応した複数の外部入力装置（ＨＤＭＩ機器）の接続を可能とするＨＤＭＩ接続部と、ＨＤＭＩ−ＣＥＣ規格の制御信号に基づいて複数の外部機器の各々と相互通信を行うとともに各機器に対して電源のオン／オフ（起動状態／待機状態）制御が可能な制御部とを備えたテレビジョン受像装置（映像表示装置）が開示されている。このテレビジョン受像装置では、接続されている複数の外部入力装置のうち、現在使用中の機器から次に使用したい機器への入力ラインの切り換えを行う際、機器の切り換えと同時に切り換えられた機器への電源を投入するか否か（機器を起動させるか待機状態を維持するか）が予め設定可能であるように構成されている。これにより、各機器は、ユーザの意に反して機器の切り換えと同時に無条件に電源が投入されてしまうのが抑制されるように構成されている。
【０００４】
また、上記特許文献２には、ＨＤＭＩ規格に対応した複数の外部入力装置との接続を認識するとともに、ＨＤＭＩ−ＣＥＣ規格の制御信号に基づいて接続中の複数の外部入力装置の各々と相互通信を行うことが可能な制御部を備えた電子機器（映像表示装置）が開示されている。この電子機器では、接続中の複数の外部入力装置と制御部との相互通信によって、外部入力装置の現在の接続状況をより効率よく確認する手法（制御方法）が提案されている。
【０００５】
また、上記特許文献３には、表示部と、ＨＤＭＩ規格に対応した複数の外部入力装置との接続を認識するとともに、ＨＤＭＩ−ＣＥＣ規格の制御信号に基づいて接続中の複数の外部入力装置の各々と相互通信を行うことが可能な制御部とを備えた表示装置（映像表示装置）が開示されている。この表示装置では、表示装置に現在接続されている外部入力装置の構成が、表示部に樹形図的に表示されるように構成されている。これにより、ユーザは、視覚化された外部入力装置の接続構成に基づいて、表示装置の入力元となる機器を任意に切り換えることが可能に構成されている。
【０００６】
また、上記特許文献４には、ＩＥＥＥ１３９４規格の制御信号に対応したインターフェイスおよびＨＤＭＩ−ＣＥＣ規格の制御信号に対応したインターフェイスの両方のインターフェイスを介して２つのＡＶ機器同志が相互に接続されたＡＶシステム（たとえば、テレビジョン装置とレコーダ装置とが接続された構成など）が開示されている。このＡＶシステムでは、ＩＥＥＥ１３９４規格による各種制御信号のうち、機器の電源オン／オフ機能に関する制御信号についてはＨＤＭＩ−ＣＥＣ規格の制御信号を代用するように構成されている。これにより、たとえば、テレビジョン装置に接続されるレコーダ装置は、ＩＥＥＥ１３９４規格よりも消費電力の少ないＨＤＭＩ−ＣＥＣ規格の制御信号によってレコーダ装置の電源オン／オフ制御が行われるように構成されている。
【先行技術文献】
【特許文献】
【０００７】
【特許文献１】特開２００８−３０１２３２号公報
【特許文献２】特開２００８−２９３４１４号公報
【特許文献３】特開２００８−３５１９２号公報
【特許文献４】特開２００８−３４９０７号公報
【発明の概要】
【発明が解決しようとする課題】
【０００８】
しかしながら、上記特許文献１に記載のテレビジョン受像装置では、テレビジョン受像装置に接続された複数の外部入力装置を個別に切り換える際、切り換えられた機器への電源投入動作を任意に設定することが可能である一方、オフ状態のテレビジョン受像装置の電源を再投入する際に、接続されている複数の外部入力装置の電源状態（起動状態／待機状態）をどのように管理するかについての具体的な構成や制御方法については開示も示唆もされていない。一般的に、ＨＤＭＩ−ＣＥＣ規格に基づく機器の制御では、ルートデバイス（この場合は、テレビジョン受像装置）の電源がオン状態に移行する場合、前回外部入力ラインとして使用されていた（電源が投入されていた）外部入力装置や、使用／不使用に関わらずテレビジョン受像装置に接続されている全ての外部入力装置に対して電源が再投入されるＣＥＣコマンドが送信されるように構成されている。したがって、上記特許文献１に記載のテレビジョン受像装置が上述のようなＣＥＣコマンドにより外部入力装置を制御する構成である場合、テレビジョン受像装置への電源投入と同時に、ユーザが使用する予定のない外部入力装置の電源が投入されてしまう場合があると考えられる。この場合、ユーザは、使用する予定のない外部入力装置の電源をオフ状態に戻す操作を機器毎に繰り返し行う必要があるため、この操作を繰り返す分、ユーザ操作が煩雑になるという問題点がある。
【０００９】
また、上記特許文献２に記載の電子機器では、ＨＤＭＩ−ＣＥＣ規格の制御信号に基づいて、ルートデバイス（電子機器）に接続中の複数の外部機器の現在の接続状況を効率よく確認する手法が開示されている一方、オフ状態の電子機器の電源を再投入する際に、接続されている複数の外部入力装置の電源状態（起動状態／待機状態）をどのように管理するかについての具体的な制御方法などについては開示も示唆もされていない。したがって、上記特許文献２に記載の電子機器が一般的なＣＥＣコマンドにより外部入力装置を制御する構成である場合、電子機器への電源投入と同時に、ユーザが使用する予定のない外部入力装置の電源が投入されてしまう場合があると考えられる。この場合、ユーザは、使用する予定のない外部入力装置の電源をオフ状態に戻す操作を機器毎に繰り返し行う必要があるため、この操作を繰り返す分、ユーザ操作が煩雑になるという問題点がある。
【００１０】
また、上記特許文献３に記載の表示装置では、表示部に樹形図的に表示された外部入力装置の接続構成に基づいて、ユーザが表示装置の入力元となる機器を任意に切り換えることが可能である一方、オフ状態の表示装置の電源を再投入する際に、接続されている複数の外部入力装置の電源状態をどのように管理するかについての具体的な構成ついては開示も示唆もされていない。したがって、上記特許文献３に記載の表示装置が一般的なＣＥＣコマンドにより外部入力装置を制御する構成である場合、表示装置への電源投入と同時に、ユーザが使用する予定のない外部入力装置の電源が投入されてしまう場合があると考えられる。この場合、ユーザは、使用する予定のない外部入力装置の電源をオフ状態にする操作を機器毎に繰り返し行う必要があるため、この操作を繰り返す分、ユーザ操作が煩雑になるという問題点がある。
【００１１】
また、上記特許文献４に記載のＡＶシステムでは、一般的なＣＥＣコマンドによる制御に基づいてテレビジョン装置から外部入力装置（レコーダ装置）の電源オン／オフ制御が行われる一方、オフ状態のテレビジョン装置の電源を再投入する際に、接続されている複数の外部入力装置の電源状態をどのように管理するかについての具体的な制御方法などについては開示も示唆もされていない。したがって、上記特許文献４に記載のＡＶシステムが一般的なＣＥＣコマンドによって制御される構成である場合、テレビジョン装置への電源投入と同時に、ユーザが使用する予定のない外部入力装置の電源が投入されてしまう場合があると考えられる。この場合、ユーザは、使用する予定のない外部入力装置の電源をオフ状態にする操作を機器毎に繰り返し行う必要があるため、この操作を繰り返す分、ユーザ操作が煩雑になるという問題点がある。
【００１２】
この発明は、上記のような課題を解決するためになされたものであり、この発明の１つの目的は、装置本体への電源投入時に、装置本体に接続される外部入力装置に対するユーザ操作が煩雑になるのを抑制することが可能な映像表示装置を提供することである。
【課題を解決するための手段および発明の効果】
【００１３】
この発明の一の局面による映像表示装置は、映像信号を入力するための複数の外部入力装置が接続される外部機器入力部と、外部機器入力部からの映像信号に基づいて映像を表示する表示部と、映像表示装置本体の電源が投入される際、外部機器入力部に接続された複数の外部入力装置のうち、ユーザによって予め指定された外部入力装置の電源をオン状態に切り換える制御を行うように構成された制御部とを備える。
【００１４】
この発明の一の局面による映像表示装置では、上記のように、映像表示装置本体の電源が投入される際、外部機器入力部に接続された複数の外部入力装置のうち、ユーザによって予め指定された外部入力装置の電源をオン状態に切り換える制御を行うように構成された制御部を備えることによって、映像表示装置本体の電源が投入されるのと同時に、外部機器入力部に接続される複数の外部入力装置のうちの特定の外部入力装置のみを選択的にオン状態（起動状態）にすることができる。すなわち、映像表示装置本体への電源投入と同時に、使用／不使用に関わらず映像表示装置に接続されている全ての外部入力装置に対して電源が投入される場合などと異なり、映像表示装置本体への電源投入と同時に、ユーザが意図する外部入力装置のみを起動して直ちに使用可能な状態にすることができる。これにより、ユーザは、映像表示装置本体への電源投入後に、使用する予定のない外部入力装置の電源をオフ状態に戻す操作を各々の外部入力装置に対して繰り返し行う必要がないので、外部入力装置に対するユーザ操作が煩雑になるのを抑制することができる。
【００１５】
上記一の局面による映像表示装置において、好ましくは、映像表示装置本体と、映像表示装置本体の外部機器入力部に接続された複数の外部入力装置との接続関係が記憶されたテーブルをさらに備え、制御部は、テーブルに記憶されている映像表示装置本体に電源が投入される前の映像表示装置本体とユーザによって予め指定された外部入力装置との接続関係と、映像表示装置本体に電源が投入された後の映像表示装置本体とユーザによって予め指定された外部入力装置との接続関係とが一致する場合に、外部機器入力部に接続されている複数の外部入力装置のうちのユーザによって予め指定された外部入力装置の電源をオン状態に切り換える制御を行うように構成されている。このように構成すれば、映像表示装置本体への電源投入の前後でユーザが予め指定していた外部入力装置と映像表示装置本体との接続関係が同じである場合にのみ、電源投入後にその外部入力装置のみをオン状態（起動状態）にすることができるので、映像表示装置本体への電源投入と同時にユーザが指定した外部入力装置を確実にオン状態に切り換えることができる。
【００１６】
上記映像表示装置本体と外部入力装置との接続関係が記憶されたテーブルを備える構成において、好ましくは、テーブルは、ユーザによって予め指定されるとともに、映像表示装置本体の電源が投入される際に制御部によって電源がオン状態に切り換えられる外部入力装置の各々が、映像表示装置本体の外部機器入力部に接続された複数の外部入力装置の各々と対応付けられて記憶されるように構成されている。このように構成すれば、制御部は、テーブルを参照して、映像表示装置に接続されている全ての外部入力装置のうち、映像表示装置本体への電源投入時に電源をオン状態に切り換えるように指定された外部入力装置を容易に把握することができる。これにより、テーブルに記憶されている映像表示装置本体に電源が投入される前の映像表示装置本体とユーザによって予め指定された外部入力装置との接続関係と、映像表示装置本体に電源が投入された後の映像表示装置本体とユーザによって予め指定された外部入力装置との接続関係とを、容易に比較することができる。
【００１７】
上記映像表示装置本体と外部入力装置との接続関係が記憶されたテーブルを備える構成において、好ましくは、制御部は、テーブルに記憶されている映像表示装置本体に電源が投入される前の映像表示装置本体とユーザによって予め指定された外部入力装置との接続関係と、映像表示装置本体に電源が投入された後の映像表示装置本体とユーザによって予め指定された外部入力装置との接続関係とが一致しない場合、映像表示装置本体の電源が投入される際にユーザによって予め指定された外部入力装置の電源をオン状態に切り換える制御を行わないように構成されている。このように構成すれば、たとえば、ユーザが予め指定していた外部入力装置の接続位置にこの外部入力装置とは別な外部入力装置が新たに接続されている場合、新たに接続された外部入力装置へ電源の投入が無用に行われてしまうのを抑制することができる。また、過去の時点でユーザが予め指定していた外部入力装置が、現在の映像表示装置本体ヘの電源投入時に存在しない場合においても、外部入力装置への電源がオン状態に切り換わることがないので、機器の操作時にユーザに混乱が生じるのを抑制することができる。
【００１８】
上記映像表示装置本体と外部入力装置との接続関係が記憶されたテーブルを備える構成において、好ましくは、制御部は、テーブルに記憶されている映像表示装置本体に電源が投入される前の映像表示装置本体とユーザによって予め指定された外部入力装置との接続関係と、映像表示装置本体に電源が投入された後の映像表示装置本体とユーザによって予め指定された外部入力装置との接続関係とが一致することに加えて、テーブルに記憶されている映像表示装置本体に電源が投入される前の映像表示装置本体とユーザによって予め指定されていない外部入力装置との接続関係と、映像表示装置本体に電源が投入された後の映像表示装置本体とユーザによって予め指定されていない外部入力装置との接続関係とが一致する場合に、外部機器入力部に接続されている複数の外部入力装置のうちのユーザによって指定された外部入力装置の電源をオン状態に切り換える制御を行うように構成されている。このように構成すれば、映像表示装置本体への電源投入の前後において、映像表示装置本体と全ての外部入力装置との接続関係が同じである場合にのみ、電源投入後にユーザが予め指定していた外部入力装置のみをオン状態（起動状態）にすることができるので、映像表示装置本体への電源投入と同時にユーザが指定した外部入力装置を確実にオン状態に切り換えることができる。
【００１９】
上記映像表示装置本体と外部入力装置との接続関係が記憶されたテーブルを備える構成において、好ましくは、映像表示装置本体は、制御部が、ＨＤＭＩ規格に基づいた制御信号を使用して外部機器入力部に接続されている複数の外部入力装置の各々に対して制御するように構成されており、制御部は、映像表示装置本体と映像表示装置本体の外部機器入力部に接続された複数の外部入力装置との接続関係を把握するために複数の外部入力装置の各々に付与されたアドレスを参照することにより、テーブルに記憶されている映像表示装置本体に電源が投入される前の映像表示装置本体と複数の外部入力装置との接続関係と、映像表示装置本体に電源が投入された後の映像表示装置本体と複数の外部入力装置との接続関係とを比較するように構成されている。このように構成すれば、制御部は、映像表示装置本体と外部入力装置との接続関係を把握する際に、ＨＤＭＩ規格における外部入力装置の論理アドレスや物理アドレスを参照して、容易に、映像表示装置本体と複数の外部入力装置との接続関係を把握することができる。
【００２０】
上記一の局面による映像表示装置において、好ましくは、ユーザにより、外部機器入力部に接続されている複数の外部入力装置のうち、映像表示装置本体の電源が投入される際に電源をオン状態に切り換える外部入力装置の指定を予め行うことが可能に構成された設定手段をさらに備え、制御部は、設定手段により設定された内容に基づいて、映像表示装置本体の電源が投入される際、外部機器入力部に接続されている複数の外部入力装置のうちのユーザによって予め指定された外部入力装置の電源をオン状態に切り換える制御を行うように構成されている。このように構成すれば、ユーザは、設定手段を介して、映像表示装置本体の電源が投入される際に電源をオン状態に切り換える外部入力装置の指定を容易に行うことができるので、外部入力装置の設定に関するユーザの操作性を向上させることができる。
【図面の簡単な説明】
【００２１】
【図１】本発明の一実施形態による外部入力装置が接続された液晶テレビジョンの構成を示した斜視図である。
【図２】図１に示した液晶テレビジョンの回路構成を示したブロック図である。
【図３】図１に示した液晶テレビジョンのメモリに格納されているテーブルの構成を示した図である。
【図４】ＨＤＭＩ規格における論理アドレスとＨＤＭＩ機器との対応関係を示した図である。
【図５】図１に示した液晶テレビジョンにおける操作画面（設定画面）の構成を示した図である。
【図６】図１に示した液晶テレビジョンにおける操作画面（設定画面）の構成を示した図である。
【図７】図１に示した液晶テレビジョンにおける操作画面（設定画面）の構成を示した図である。
【図８】図１に示した液晶テレビジョンにおける操作画面（設定画面）の構成を示した図である。
【図９】本発明の一実施形態による液晶テレビジョンの制御フローを示した図である。
【発明を実施するための形態】
【００２２】
以下、本発明を具体化した実施形態を図面に基づいて説明する。
【００２３】
図１〜図８を参照して、本発明の一実施形態による液晶テレビジョン１００の構成について説明する。なお、本実施形態では、外部機器入力部を備えた映像表示装置の一例である液晶テレビジョン１００に本発明を適用した場合について説明する。
【００２４】
本発明の一実施形態による液晶テレビジョン１００は、図１に示すように、テレビジョン本体１０と、テレビジョン本体１０の正面に設けられた表示画面部１１と、表示画面部１１の左右両側に設けられた音声出力部（スピーカ）１２とにより主に構成されている。なお、テレビジョン本体１０および表示画面部１１は、それぞれ、本発明の「映像表示装置本体」および「表示部」の一例である。また、液晶テレビジョン１００は、後述するリモコン６０により、ユーザが離れた位置からテレビジョン本体１０に対する各種操作を行うことが可能に構成されている。
【００２５】
また、テレビジョン本体１０には、図２に示すように、制御回路部３０（一点鎖線枠内）が内蔵されている。この制御回路部３０は、アンテナ２０を介してテレビジョン放送の放送信号波を受信するチューナ／復調部３１と、ＨＤＭＩ規格に対応した接続ケーブル２１（二点鎖線）を介して複数の外部入力装置（１台のみの場合も可能）が接続される外部機器入力部３２と、チューナ／復調部３１や外部機器入力部３２に接続される外部入力装置（５１〜５５）からの映像信号（音声信号）の入力元を切換可能なＡＶ入力選択部３３と、ＡＶ入力選択部３３からの映像信号の各種処理を行う映像処理部３４と、ＡＶ入力選択部３３からの音声信号を処理する音声処理部３５とによって構成されている。
【００２６】
また、外部機器入力部３２には、３つのＨＤＭＩ入力端子３２ａ〜３２ｃが設けられている。そして、ＨＤＭＩ入力端子３２ａには、ＤＶＤプレーヤ５１が接続されるとともに、ＨＤＭＩ入力端子３２ｂには、ケーブルテレビ信号などを入力するためのセットトップボックス（信号変換装置）５２が接続されている。また、ＨＤＭＩ入力端子３２ｃには、２種類の外部入力装置（ＨＤＤ／ＤＶＤレコーダ５３およびＢＤプレーヤ５４）が接続されたＡＶアンプ５５が接続されている。すなわち、本実施形態では、本発明を説明する際の一例として、液晶テレビジョン１００に５台の外部入力装置（５１〜５５）が接続された場合について説明する。なお、ＤＶＤプレーヤ５１、セットトップボックス５２、ＨＤＤ／ＤＶＤレコーダ５３、ＢＤプレーヤ５４およびＡＶアンプ５５は、本発明の「外部入力装置」の一例である。
【００２７】
また、図２に示すように、ＡＶ入力選択部３３は、チューナ／復調部３１および外部機器入力部３２と接続されている。ユーザの後述するテレビジョン本体１０に設けられた入力ライン切替ボタン４０またはリモコン６０の入力切替ボタン６２（図１参照）の操作に基づいて、チューナ／復調部３１および外部機器入力部３２に接続された外部入力装置（５１〜５５）のいずれか１つを選択する機能を有している。また、ＡＶ入力選択部３３は、チューナ／復調部３１および外部機器入力部３２に接続された外部入力装置（５１〜５５）のいずれか１つから入力される映像信号（音声信号）を、映像処理部３４および音声処理部３５に転送する機能を有している。
【００２８】
また、映像処理部３４は、ＡＶ入力選択部３３から入力される映像信号をＡ／Ｄ変換処理（アナログ／デジタル変換処理）する機能を有している。また、映像処理部３４は、Ａ／Ｄ変換処理（アナログ／デジタル変換処理）した映像信号から同期信号分離および同期タイミング生成を順次行い、生成した同期タイミングに基づいて信号処理を行うとともにオンスクリーン情報等を付加して表示画面部１１に送信するように構成されている。これにより、ＡＶ入力選択部３３により選択されたチューナ／復調部３１または外部機器入力部３２に接続された外部入力装置（５１〜５５）から出力される映像信号に対応する画像を表示画面部１１に表示することが可能とされている。
【００２９】
また、音声処理部３５は、ＡＶ入力選択部３３から入力される音声信号の増幅および音量調整を行う機能を有している。また、音声処理部３５は、音声出力部１２（図１および図２参照）に接続されており、増幅および音量調整された音声信号を音声出力部１２に送信するように構成されている。これにより、ＡＶ入力選択部３３により選択されたチューナ／復調部３１または外部機器入力部３２に接続された外部入力装置（５１〜５５）から出力される音声信号に対応する音声を音声出力部１２から出力することが可能とされている。
【００３０】
また、テレビジョン本体１０の制御回路部３０は、上述の構成要素に加えて、テレビジョン本体１０の全体の制御を担うＣＰＵからなる制御部３６と、制御部３６に接続されるとともにテレビジョン本体１０をオン状態（起動状態）またはオフ状態（待機状態）にすることが可能な電源部３７と、制御部３６に接続された不揮発性のメモリ３８と、リモコン６０からのリモコン信号（赤外線など）を受光するとともに制御部３６に指令を与えるリモコン受信部３９と、ユーザ操作によってチューナ／復調部３１および外部機器入力部３２に接続された外部入力装置（５１〜５５）のいずれか１つを選択可能とする入力ライン切替ボタン４０とが設けられている。
【００３１】
ここで、本実施形態では、制御部３６と接続されているメモリ３８（図２参照）には、図３に示すように、テレビジョン本体１０と外部入力装置（５１〜５５）との接続関係などが記憶されたテーブル７０が格納されている。具体的には、テーブル７０は、テレビジョン本体１０と外部入力装置（５１〜５５）とからなるＨＤＭＩ機器同志の接続関係を示す「論理アドレス」項目欄７１および「物理アドレス」項目欄７２や、各機器の仕様（機器の名称など）が記憶された「製造元ＩＤ」項目欄７３および「機器名称」項目欄７４などから構成されている。なお、制御部３６のＣＰＵ内には作業メモリ領域が設けられており、後述するテレビジョン本体１０の制御動作では、テーブル７０がＣＰＵ内の作業メモリ領域に読み込まれた状態で制御部３６が各種処理動作を行うように構成されている。
【００３２】
そして、本実施形態では、上述の４つの項目欄（７１〜７４）に加えて、「システム起動時ＯＮ連動」に関する設定項目欄７５が設けられている。この設定項目欄７５（図３参照）には、テレビジョン本体１０の電源が投入された際、テレビジョン本体１０に接続されている外部入力装置（５１〜５５）の各々をオン状態（起動状態）に切り換えるか否かのユーザ設定状況が書き込まれている。したがって、テレビジョン本体１０の電源が投入された際、設定項目欄７５に「Ｙｅｓ」で設定されている機器（ＤＶＤプレーヤおよびセットトップボックス）のみの電源がオン状態に切り換えられるように予め設定されている。
【００３３】
なお、ＨＤＭＩ機器における論理アドレスは、一般的に、図４に示すように、外部入力装置の種類（機器の種類）および接続台数に応じてアドレス「１」〜「１５」（最大値）まで割り振られている。なお、論理アドレス「０」は、外部入力装置の接続元機器（ルートデバイス）を意味しており、この場合、テレビジョン本体１０がルートデバイス（論理アドレス＝「０」）となるように規定されている。
【００３４】
また、ＨＤＭＩ機器における物理アドレスは、接続元機器（ルートデバイス＝テレビジョン本体１０）を頂点として樹形図的に接続される各外部入力装置（５１〜５５）の物理的な配置（階層）関係を示すために規定されたアドレスを意味している。ここで、本実施形態における機器構成として図２を参照した場合、ルートデバイスであるテレビジョン本体１０は、物理アドレス「０．０．０．０」として定義される一方、テレビジョン本体１０の外部機器入力部３２に直接的に接続される第１階層のＡＶアンプ５５、セットトップボックス５２およびＤＶＤプレーヤ５１は、それぞれ、物理アドレス「１．０．０．０」、「２．０．０．０」および「３．０．０．０」として定義されて制御部３６に認識される。また、同様に、上記第１階層の機器（ＡＶアンプ５５）に直接的に接続される第２階層のＨＤＤ／ＤＶＤレコーダ５３およびＢＤプレーヤ５４は、それぞれ、物理アドレス「１．１．０．０」および「１．２．０．０」のように定義されて制御部３６に認識される。
【００３５】
したがって、テレビジョン本体１０の制御部３６は、ＨＤＭＩ規格における通信プロトコル（ＣＥＣコマンドなど）を使用して各機器との間で通信を繰り返しながらテーブル７０を作成することにより、図３に示す物理アドレスと論理アドレスとの組み合わせから、どのような種類の機器がどのような接続関係でテレビジョン本体１０に対して直接的または間接的に接続されているのかを認識することが可能に構成されている。
【００３６】
また、本実施形態では、図５〜図８に示す画面８０〜８２を操作することによって、「システム起動時ＯＮ連動」に関する設定項目欄７５（図３参照）の内容をユーザが予め設定することが可能に構成されている。
【００３７】
以下、具体的に説明すると、ユーザは、リモコン６０などを操作して、表示画面部１１に画面８０（図５参照）を表示するとともに画面８０内の初期設定ボタン８０ａ（図５参照）を選択することにより、初期設定に関する画面８１（図６参照）が表示されるように構成されている。そして、システム設定ボタン８１ａおよび外部接続機器ボタン８１ｂの順にカーソルを進めると、図７に示す「外部接続機器電源ＯＮ設定」に関する画面８２が表示されるように構成されている。すなわち、ユーザが画面８２において「ＴＶ電源ＯＮ時に機器を個別に電源ＯＮする」という項目を選択した場合、図８に示すように、その時点でのテレビジョン本体１０に接続されている外部入力装置（５１〜５５）の一覧表８２ａが追加的に表示されるように構成されている。そして、カーソル操作により、一覧表８２ａの中の所定の機器（この場合、ＤＶＤプレーヤ５１およびセットトップボックス５２）にチェック印を付すことが可能に構成されている。これにより、テレビジョン本体１０の電源を投入する際、接続されている外部入力装置（５１〜５５）のうちのＤＶＤプレーヤ５１およびセットトップボックス５２のみの電源をオン状態（起動状態）に切り換える設定をユーザが予め行うことが可能に構成されている。なお、画面８２は、本発明の「設定手段」の一例である。
【００３８】
なお、図７に示した画面８２において、「ＴＶ電源ＯＮ時にすべて機器を電源ＯＮする」という項目を選択した場合は、次回、テレビジョン本体１０の電源を投入する際、テレビジョン本体１０に接続されている全ての外部入力装置の電源がオン状態（一斉起動）となるような制御が行われるように構成されている。
【００３９】
また、本実施形態では、チェック印を付した状態で画面８２（図８参照）の決定ボタン８０ｂが選択されることによって、画面８２の設定内容がテーブル７０（図３参照）の「システム起動時ＯＮ連動」に関する設定項目欄７５（図３参照）に反映された状態でテーブル７０がメモリ３８に上書きされて格納されるように構成されている。
【００４０】
また、液晶テレビジョン１００に付属するリモコン６０は、図１に示すように、テレビジョン本体１０の電源をオン／オフさせるための電源ボタン６１と、テレビジョン本体１０への入力ラインを、チューナ／復調部３１および外部機器入力部３２に接続された外部入力装置（５１〜５５）のいずれか１つに切り換えるための入力切替ボタン６２と、上述の設定画面８０〜８２（図５〜図８参照）においてユーザが各種の設定操作を行うためのカーソルキー６３および決定ボタン６４とを有している。
【００４１】
次に、図２、図３、図８および図９を参照して、本実施形態による液晶テレビジョン１００に外部入力装置（５１〜５５）が接続された状態で液晶テレビジョン１００の電源を投入した際の制御部３６の制御動作について説明する。なお、以下の説明では、複数の外部入力装置（５１〜５５）のうち、ＤＶＤプレーヤ５１およびセットトップボックス５２が、テレビジョン本体１０への電源投入と同時にオン状態に切り換えられるように予めユーザ指定されている場合（図３参照）について説明する。
【００４２】
図９に示すように、まず、ステップＳ１において、テレビジョン本体１０がオフ状態（待機状態）から電源が投入されたか否かが制御部３６（図２参照）によって判断され、オフ状態（待機状態）が継続中の場合は、テレビジョン本体１０に電源が投入されるまでこの判断が繰り返される。ステップＳ１において、ユーザによりテレビジョン本体１０に電源が投入されたと判断された場合、ステップＳ２において、制御部３６は、メモリ３８（図２参照）に格納されているテーブル７０（図３参照）をＣＰＵ内の作業メモリ領域に読み込む。
【００４３】
そして、ステップＳ３では、制御部３６は、テレビジョン本体１０に電源が投入される前のテレビジョン本体１０と外部入力装置（５１〜５５）との接続関係と、現在（テレビジョン本体１０に電源が投入された直後）のテレビジョン本体１０と外部入力装置（５１〜５５）との接続関係とを比較する。この際、ステップＳ３では、作業メモリ領域に読み込まれたテーブル７０（図３参照）を参照して、接続された外部入力装置（５１〜５５）の各々が有する論理アドレス（機器の種類）および物理アドレス（接続位置）が、テレビジョン本体１０への電源投入の前後において一致するか否かが機器毎に判断される。すなわち、ＨＤＤ／ＤＶＤレコーダ５３を例に説明すると、制御部３６は、テレビジョン本体１０への電源投入前におけるＨＤＤ／ＤＶＤレコーダ５３の論理アドレスおよび物理アドレスの組み合わせ（論理アドレス「１」および物理アドレス「１．１．０．０」（図３参照））と、現在（テレビジョン本体１０への電源投入後）のＨＤＤ／ＤＶＤレコーダ５３に割り振られた論理アドレスおよび物理アドレスの組み合わせとを比較する。
【００４４】
また、制御部３６は、ＨＤＤ／ＤＶＤレコーダ５３以外の外部入力装置についても同様に、テレビジョン本体１０の電源投入前後における論理アドレスおよび物理アドレスの組み合わせを順次比較する。
【００４５】
続いて、ステップＳ４では、テーブル７０（図３参照）を参照して、接続された外部入力装置（５１〜５５）の各々が有する物理アドレス（機器の種類）および製造元ＩＤ（製造元社名）が、テレビジョン本体１０への電源投入の前後において一致するか否かが機器毎に判断される。すなわち、ＨＤＤ／ＤＶＤレコーダ５３を例に説明すると、制御部３６は、テレビジョン本体１０への電源投入前におけるＨＤＤ／ＤＶＤレコーダ５３の物理アドレスおよび製造元ＩＤの組み合わせ（物理アドレス「１．１．０．０」および製造元ＩＤ「製造元：Ｂ社」（図３参照））と、現在（電源投入後）のＨＤＤ／ＤＶＤレコーダ５３の物理アドレスおよび製造元ＩＤの組み合わせとを比較する。
【００４６】
また、制御部３６は、ＨＤＤ／ＤＶＤレコーダ５３以外の外部入力装置についても同様に、テレビジョン本体１０の電源投入前後における物理アドレスおよび製造元ＩＤの組み合わせを順次比較する。なお、制御部３６は、「Ｄｅｖｉｃｅ  Ｖｅｎｄｅｒ  ＩＤ」というＣＥＣコマンドを現在接続されている外部入力装置（５１〜５５）に対して送信することにより、各々の機器の製造元ＩＤを取得する。
【００４７】
さらに、ステップＳ５では、テーブル７０（図３参照）を参照して、接続された外部入力装置（５１〜５５）の各々が有する物理アドレス（機器の種類）および機器名称（ＯＳＤ  Ｎａｍｅ）が、テレビジョン本体１０への電源投入の前後において一致するか否かが機器毎に判断される。すなわち、ＨＤＤ／ＤＶＤレコーダ５３を例に説明すると、制御部３６は、テレビジョン本体１０への電源投入前におけるＨＤＤ／ＤＶＤレコーダ５３の物理アドレスおよび機器名称の組み合わせ（物理アドレス「１．１．０．０」および機器名称「ＨＤＤ／ＤＶＤレコーダ」（図３参照））と、現在（電源投入後）のＨＤＤ／ＤＶＤレコーダ５３の物理アドレスおよび機器名称の組み合わせとを比較する。
【００４８】
また、制御部３６は、ＨＤＤ／ＤＶＤレコーダ５３以外の外部入力装置についても同様に、テレビジョン本体１０の電源投入前後における物理アドレスおよび機器名称の組み合わせを順次比較する。なお、制御部３６は、「Ｇｉｖｅ  ＯＳＤ  Ｎａｍｅ」というＣＥＣコマンドを外部入力装置（５１〜５５）に対して送信することにより、各々の機器名称を取得する。
【００４９】
そして、ステップＳ６において、ユーザが予め指定した外部入力装置であるＤＶＤプレーヤ５１およびセットトップボックス５２の接続関係が、テレビジョン本体１０への電源投入前後で一致するか否かが判断される。すなわち、ＤＶＤプレーヤ５１およびセットトップボックス５２の各々が有する論理アドレス、物理アドレス、製造元ＩＤおよび機器名称が、テレビジョン本体１０への電源投入前後で機器毎に一致しているか否かが判断される。そして、ステップＳ６において、ＤＶＤプレーヤ５１およびセットトップボックス５２の接続関係が、テレビジョン本体１０への電源投入前後で各々一致すると判断された場合、ステップＳ７において、制御部３６は、ユーザが予め指定した外部入力装置（ＤＶＤプレーヤ５１およびセットトップボックス５２（図２参照））の電源をオン状態（起動状態）に切り換える制御を行う。この際、制御部３６は、「Ｐｏｗｅｒ  Ｏｎ  Ｆｕｎｃｔｉｏｎ」というＣＥＣコマンドを、ＤＶＤプレーヤ５１およびセットトップボックス５２に対して送信する。なお、ユーザが予め指定していた外部入力装置以外の外部入力装置（ＨＤＤ／ＤＶＤレコーダ５３、ＢＤプレーヤ５４およびＡＶアンプ５５（図２参照））へは上記のＣＥＣコマンドは送信されないので、電源のオフ状態（待機状態）が継続される。
【００５０】
また、ステップＳ６において、ＤＶＤプレーヤ５１またはセットトップボックス５２の接続関係が、テレビジョン本体１０への電源投入前後で一致しないと判断された場合、制御部３６は、接続関係が一致しない機器に対して上述のステップＳ７の制御を行わない。すなわち、制御部３６は、接続関係が一致しない機器の電源をオン状態（起動状態）に切り換えることなくステップＳ８に進む。
【００５１】
最後に、ステップＳ８において、制御部３６は、ステップＳ３〜ステップＳ５においてＣＵＰ内の作業メモリ領域に一時的に取得していた現在の外部入力装置（５１〜５５）の接続関係（機器構成）を、テーブル７０（図３参照）に上書き保存した後メモリ３８に格納する。これにより、テーブル７０には現在の外部入力装置の接続関係が記憶されるので、ユーザが画面８２（図８参照）を表示した際は、情報が更新された一覧表８２ａ（図８参照）が表示される。以上をもって、制御部３６は、本制御を終了する。
【００５２】
本実施形態では、上記のように、テレビジョン本体１０の電源が投入される際、外部機器入力部３２に接続された複数の外部入力装置（５１〜５５）のうち、画面８２（図８参照）にてユーザが予め指定した外部入力装置（ＤＶＤプレーヤ５１およびセットトップボックス５２）の電源をオン状態に切り換える制御を行うように構成された制御部３６を備えることによって、テレビジョン本体１０の電源が投入されるのと同時に、外部機器入力部３２に接続される複数の外部入力装置（５１〜５５）のうちの特定の外部入力装置（ＤＶＤプレーヤ５１およびセットトップボックス５２）のみを選択的にオン状態（起動状態）にすることができる。すなわち、テレビジョン本体１０への電源投入と同時に、使用／不使用に関わらずテレビジョン本体１０に接続されている全ての外部入力装置（５１〜５５）に対して電源が投入される場合（一斉起動）などと異なり、テレビジョン本体１０の電源投入と同時に、ユーザが意図する外部入力装置（ＤＶＤプレーヤ５１およびセットトップボックス５２）のみを起動して直ちに使用可能な状態にすることができる。これにより、ユーザは、テレビジョン本体１０への電源投入後に、使用する予定のない外部入力装置（ＨＤＤ／ＤＶＤレコーダ５３、ＢＤプレーヤ５４、およびＡＶアンプ５５）の電源をオフ状態に戻す操作を各々の機器に対して繰り返し行う必要がないので、外部入力装置（５１〜５５）に対するユーザ操作が煩雑になるのを抑制することができる。
【００５３】
また、本実施形態では、制御部３６を、テーブル７０に記憶されているテレビジョン本体１０に電源が投入される前のテレビジョン本体１０とユーザによって予め指定された外部入力装置（ＤＶＤプレーヤ５１およびセットトップボックス５２）との接続関係と、テレビジョン本体１０に電源が投入された後のテレビジョン本体１０とユーザによって予め指定された外部入力装置（ＤＶＤプレーヤ５１およびセットトップボックス５２）とが一致する場合に、外部機器入力部３２に接続されている複数の外部入力装置（５１〜５５）のうちのユーザによって指定された外部入力装置（ＤＶＤプレーヤ５１およびセットトップボックス５２）の電源をオン状態に切り換える制御を行うように構成することによって、テレビジョン本体１０への電源投入の前後でユーザが予め指定していた外部入力装置（ＤＶＤプレーヤ５１およびセットトップボックス５２）とテレビジョン本体１０との接続関係が同じである場合にのみ、電源投入後にその外部入力装置（ＤＶＤプレーヤ５１およびセットトップボックス５２）のみをオン状態（起動状態）にすることができるので、テレビジョン本体１０の電源投入と同時にユーザが指定した外部入力装置（ＤＶＤプレーヤ５１およびセットトップボックス５２）を確実にオン状態に切り換えることができる。
【００５４】
また、本実施形態では、テーブル７０を、ユーザによって予め指定されるとともに、テレビジョン本体１０の電源が投入される際に制御部３６によって電源がオン状態に切り換えられる外部入力装置の各々（「システム起動時ＯＮ連動」に関する設定項目欄７５（図３参照）におけるＤＶＤプレーヤ５１およびセットトップボックス５２）が、テレビジョン本体１０の外部機器入力部３２に接続された複数の外部入力装置（「機器名称」項目欄７４（図３参照）における外部入力装置）の各々と対応付けられて記憶されていることによって、制御部３６は、テーブル７０を参照して、テレビジョン本体１０に接続されている全ての外部入力装置（５１〜５５）のうち、テレビジョン本体１０の電源投入時に電源をオン状態に切り換えるように指定された外部入力装置（ＤＶＤプレーヤ５１およびセットトップボックス５２）を容易に把握することができる。これにより、テーブル７０に記憶されているテレビジョン本体１０に電源が投入される前のテレビジョン本体１０とユーザによって予め指定された外部入力装置（ＤＶＤプレーヤ５１およびセットトップボックス５２）との接続関係と、テレビジョン本体１０に電源が投入された後のテレビジョン本体１０とユーザによって予め指定された外部入力装置との接続関係とを、容易に比較することができる。
【００５５】
また、本実施形態では、制御部３６を、テーブル７０に記憶されているテレビジョン本体１０に電源が投入される前のテレビジョン本体１０とユーザによって予め指定された外部入力装置（ＤＶＤプレーヤ５１およびセットトップボックス５２）との接続関係と、テレビジョン本体１０に電源が投入された後のテレビジョン本体１０とユーザによって予め指定された外部入力装置（ＤＶＤプレーヤ５１およびセットトップボックス５２）との接続関係とが一致しない場合、テレビジョン本体１０の電源が投入される際にユーザによって予め指定された外部入力装置（ＤＶＤプレーヤ５１およびセットトップボックス５２）の電源をオン状態に切り換える制御を行わないように構成することによって、たとえば、ユーザが予め指定していた外部入力装置（ＤＶＤプレーヤ５１およびセットトップボックス５２）の接続位置にこの外部入力装置とは別な外部入力装置が新たに接続されている場合、新たに接続された外部入力装置へ電源の投入が無用に行われてしまうのを抑制することができる。また、過去の時点でユーザが予め指定していた外部入力装置（ＤＶＤプレーヤ５１およびセットトップボックス５２）が、現在のテレビジョン本体１０への電源投入時に存在しない場合においても、外部入力装置への電源がオン状態に切り換わることがないので、機器の操作時にユーザに混乱が生じるのを抑制することができる。
【００５６】
また、本実施形態では、制御部３６を、テレビジョン本体１０とテレビジョン本体１０の外部機器入力部３２に接続された複数の外部入力装置（５１〜５５）との接続関係を把握するために複数の外部入力装置（５１〜５５）の各々に付与されたＨＤＭＩ規格における論理アドレスおよび物理アドレスを参照することにより、テーブル７０に記憶されているテレビジョン本体１０に電源が投入される前のテレビジョン本体１０と複数の外部入力装置（５１〜５５）との接続関係と、テレビジョン本体１０に電源が投入された後のテレビジョン本体１０と複数の外部入力装置（５１〜５５）との接続関係とを比較するように構成することによって、制御部３６は、テレビジョン本体１０と外部入力装置（５１〜５５）との接続関係を把握する際に、ＨＤＭＩ規格における外部入力装置（５１〜５５）の論理アドレスや物理アドレスを参照して、容易に、テレビジョン本体１０と複数の外部入力装置（５１〜５５）との接続関係を把握することができる。
【００５７】
また、本実施形態では、ユーザにより、外部機器入力部３２に接続されている複数の外部入力装置（５１〜５５）のうち、テレビジョン本体１０の電源が投入される際に電源をオン状態に切り換える外部入力装置（ＤＶＤプレーヤ５１およびセットトップボックス５２）の指定を予め行うことが可能に構成された画面８２を備えるとともに、制御部３６を、画面８２により設定された内容に基づいて、テレビジョン本体１０の電源が投入される際、外部機器入力部３２に接続されている複数の外部入力装置（５１〜５５）のうちのユーザによって予め指定された外部入力装置（ＤＶＤプレーヤ５１およびセットトップボックス５２）の電源をオン状態に切り換える制御を行うように構成することによって、ユーザは、画面８２を介して、テレビジョン本体１０の電源が投入される際に電源をオン状態に切り換える外部入力装置の指定を容易に行うことができるので、外部入力装置（５１〜５５）の設定に関するユーザの操作性を向上させることができる。
【００５８】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００５９】
たとえば、上記実施形態では、映像表示装置の一例として液晶テレビジョン１００に本発明を適用した例について示したが、本発明はこれに限らず、外部入力装置が接続可能な外部機器入力部を備えた映像表示装置であれば、液晶テレビジョン以外のブラウン管テレビジョンや、ＰＣモニタや、プラズマテレビジョンなどに本発明を適用してもよい。
【００６０】
また、上記実施形態では、ユーザが予め指定した外部入力装置（ＤＶＤプレーヤ５１およびセットトップボックス５２）とテレビジョン本体１０との接続関係がテレビジョン本体１０への電源投入の前後において一致する場合に、ＤＶＤプレーヤ５１およびセットトップボックス５２の電源をオン状態に切り換える制御を行うように構成した例について示したが、本発明はこれに限らず、ユーザが予め指定した外部入力装置（ＤＶＤプレーヤ５１およびセットトップボックス５２）とテレビジョン本体１０との接続関係がテレビジョン本体１０への電源投入の前後において一致することに加えて、ユーザが予め指定していない外部入力装置（この場合、ＨＤＤ／ＤＶＤレコーダ５３、ＢＤプレーヤ５４およびＡＶアンプ５５）とテレビジョン本体１０との接続関係がテレビジョン本体１０への電源投入の前後において一致する場合に、ユーザが予め指定したＤＶＤプレーヤ５１およびセットトップボックス５２の電源をオン状態に切り換える制御を行うように構成してもよい。すなわち、テレビジョン本体１０に接続される全ての外部入力装置（５１〜５５）の接続関係がテレビジョン本体１０への電源投入の前後において一致する場合に、ユーザが予め指定した外部入力装置の電源をオン状態に切り換える制御が行われる一方、全ての外部入力装置（５１〜５５）のうちの１台でも、テレビジョン本体１０および他の４台の外部入力装置との接続関係が電源投入の前後において一致しない場合は、ユーザが予め指定した外部入力装置の電源をオン状態に切り換えないように構成してもよい。このように構成すれば、テレビジョン本体１０とテレビジョン本体１０に接続される全ての外部入力装置（５１〜５５）との接続関係が、テレビジョン本体１０への電源投入の前後で完全に一致する場合にのみ、電源投入後にユーザが予め指定した外部入力装置のみをオン状態（起動状態）にすることができるので、テレビジョン本体１０の電源投入と同時にユーザが指定した外部入力装置（ＤＶＤプレーヤ５１およびセットトップボックス５２）を確実にオン状態に切り換えることができる。
【００６１】
また、上記実施形態では、テーブル７０に基づいて、テレビジョン本体１０とテレビジョン本体１０に接続される全ての外部入力装置（５１〜５５）との接続関係について、テレビジョン本体１０への電源投入の前後における差異を比較した例について示したが、本発明はこれに限らず、ユーザによって予め指定された外部入力装置（たとえば図８で指定したＤＶＤプレーヤ５１およびセットトップボックス５２）のみについてのテレビジョン本体１０との接続関係を、テレビジョン本体１０への電源投入の前後において比較するように構成してもよい。
【００６２】
また、上記実施形態では、テレビジョン本体１０とテレビジョン本体１０に接続される外部入力装置（５１〜５５）との接続関係を比較する際、各外部入力装置が有する「論理アドレスおよび物理アドレス」の組み合わせを比較（ステップＳ３）した後、各外部入力装置が有する「物理アドレスおよび製造元ＩＤ」の組み合わせを比較（ステップＳ４）して、さらに、各外部入力装置が有する「物理アドレスおよび機器名称（ＯＳＤ  Ｎａｍｅ）」の組み合わせを比較（ステップＳ５）して、テレビジョン本体１０への電源投入の前後におけるテレビジョン本体１０と外部入力装置（５１〜５５）との接続関係を比較した例について示したが、本発明はこれに限らず、上記ステップＳ３およびステップＳ４の比較処理のみを行うようにしてもよいし、上記ステップＳ３の比較処理のみを行うようにして、テレビジョン本体１０への電源投入の前後におけるテレビジョン本体１０と外部入力装置（５１〜５５）との接続関係を比較するようにしてもよい。
【符号の説明】
【００６３】
１０  テレビジョン本体（映像表示装置本体）
１１  表示画面部（表示部）
３２  外部機器入力部
３６  制御部
５１  ＤＶＤプレーヤ（外部入力装置）
５２  セットトップボックス（外部入力装置）
５３  ＨＤＤ／ＤＶＤレコーダ（外部入力装置）
５４  ＢＤプレーヤ（外部入力装置）
５５  ＡＶアンプ（外部入力装置）
７０  テーブル
８２  画面（設定手段）
【図１】
2010245908.tif 000003
【図２】
2010245908.tif 000004
【図３】
2010245908.tif 000005
【図４】
2010245908.tif 000006
【図５】
2010245908.tif 000007
【図６】
2010245908.tif 000008
【図７】
2010245908.tif 000009
【図８】
2010245908.tif 000010
【図９】
2010245908.tif 000011